(57)【要約】【課題】搬送される用紙の印刷が汚れたり、用紙が傷つくのを防ぐ。【解決手段】排出給紙ローラ５０の上流側に、搬送ベルト１０で搬送されて来た用紙Ｓ１を、この搬送ベルト１０から離間させる用紙離間部材６０を設ける。この用紙離間部材６０は、下流側プーリ４０の軸とその軸を共用して、複数本の搬送ベルト１０の間に配設された下流側プーリ４０より大径のコロ型となっており、この軸のまわりに回動する構造となっている。【選択図】図１
2007326683.tif 000002
【特許請求の範囲】
【請求項１】
積層された用紙のうちの最上層の１枚を吸引して搬送ベルトに吸着させる吸引チャンバと、
前記搬送ベルトを駆動する上流側プーリ及び下流側プーリと、
前記搬送ベルトで搬送されて来た用紙を挟持して更に搬送し、次工程方向へと排出、給紙する排出給紙ローラとを有し、
積層された用紙の最上層の１枚を搬送ベルトに吸着させて次工程方向へと搬送、給紙する給紙装置において、前記排出給紙ローラの上流側に配設されて、前記搬送ベルトで搬送されて来た用紙をこの搬送ベルトとの密着状態から離間させる用紙離間部材を有することを特徴とする給紙装置。
【請求項２】
前記用紙離間部材が、前記下流側プーリを回動させる下流側軸の周りに回動し、かつ前記下流側ブーリより大径の円板型であることを特徴とする請求項１記載の給紙装置。
【請求項３】
前記用紙離間部材が、前記下流側プーリの下流側に配設されて１つの軸の周りに回動する円板型部材であることを特徴とする請求項１記載の給紙装置。
【請求項４】
前記用紙離間部材が、前記下流側プーリの下流側に配設されて用紙搬送路幅方向に長いコロ型であることを特徴とする請求項１記載の給紙装置。
【請求項５】
前記用紙離間部材が、前記下流側プーリの上流側でこの下流側プーリ寄りに配設されて１つの軸の周りに回動する円板型であることを特徴とする請求項１記載の給紙装置。
【発明の詳細な説明】
【技術分野】
【０００１】
本発明は給紙装置に関し、特に積層された用紙の最上層の１枚を搬送ベルトに吸着させて次工程方向へと搬送給紙する給紙装置に関する。
【背景技術】
【０００２】
このような給紙装置について、背景技術の一例を図面を参照しながら説明する。
図４（ａ）、（ｂ）は背景技術における給紙装置の一例を動作順に示した断面側面図である。
この給紙装置は、搬送ベルト１０ｘと、この搬送ベルト１０ｘに積層された用紙Ｓのうちの最上層の１枚（Ｓ１）を吸着させる吸引チャンバ２０ｘと、搬送ベルト１０ｘを駆動、制御する上流側プーリ３０ｘ及び下流側プーリ４０ｘと、搬送ベルト１０ｘで搬送されて来た１枚の用紙（Ｓ１）をくわえ込んで更に下流方向、次工程方向へと搬送、給紙する排出給紙ローラ５０ｘと、積層された用紙Ｓの先端、上層部分にエアを吹き付けてこれら用紙を分離させる吐出エアチャンバ７０、及び分離された最上層の１枚の用紙Ｓ１のみが搬送ベルト１０ｘに吸着されて搬送されるようにする２枚送り防止部材８０と、最上層の１枚の用紙Ｓ１が搬送ベルト１０ｘに吸着されると回動して、上流側プーリ３０ｘ及び下流側プーリ４０ｘを回転させ、搬送ベルト１０ｘを駆動、制御する遮蔽板９０と、を備えた構造、構成となっている（例えば、特許文献１参照）。
【０００３】
搬送ベルトに用紙を吸着させて下流側へと搬送する場合、吸引チャンバでエアを吸引したまま搬送すると、最上層の次の用紙も引きずられて二重送りになってしまうことがあるので、この例では、それを防ぐために２枚送り防止部材８０を設けている。
また、吸着した用紙の後ろから続けて次位の用紙が吸着搬送されることがないように、吸着した用紙が排出給紙ローラにくわえられたあと、エアの吸引を中止するようにしている。しかし、エアの吸引を中止したとしても、直ちに吸引チャンバ内の負圧が解消されることはなく吸引力が残っているので、給紙される用紙は搬送ベルトから離間せず、接触したままとなることがある。
【特許文献１】特開２００２−２２６０６８号公報（図１５、図１６参照）
【発明の開示】
【発明が解決しようとする課題】
【０００４】
上述した背景技術における給紙装置は、最上層の用紙１枚を搬送ベルト１０ｘに吸着させて次工程方向へと搬送して、排出給紙ローラ５０ｘにくわえさせ、この排出給紙ローラ５０ｘで更に下流側へと搬送する構成となっているが、用紙の搬送速度は、通常搬送ベルト１０ｘと排出給紙ローラ５０ｘとの間で一致していないので、給紙される用紙が残留負圧のために搬送ベルトと接触したままであると、用紙とベルトとの間で速度差による摩擦が発生し、用紙の印刷が汚れたり、用紙そのものを傷つけてしまう、という問題点があった。
【０００５】
本発明の課題は、上記背景技術における問題点に鑑みて、搬送ベルトと排出給紙ローラとの間に、用紙の搬送速度差があったとしても、搬送される用紙の印刷が汚れることなく、また用紙そのものが傷つけられることなく、良好な状態で次工程方向へと排出給紙することができる給紙装置を提供することにある。
【課題を解決するための手段】
【０００６】
上記の課題を達成するために、本発明は以下の各構成を有する。
本発明第１の構成は、積層された用紙のうちの最上層の１枚を吸引して搬送ベルトに吸着させる吸引チャンバと、前記搬送ベルトを駆動する上流側プーリ及び下流側プーリと、前記搬送ベルトで搬送されて来た用紙を挟持して更に搬送し、次工程方向へと排出、給紙する排出給紙ローラとを有し、積層された用紙の最上層の１枚を搬送ベルトに吸着させて次工程方向へと搬送、給紙する給紙装置において、前記排出給紙ローラの上流側に配設されて、前記搬送ベルトで搬送されて来た用紙をこの搬送ベルトとの密着状態から離間させる用紙離間部材を有することを特徴とする給紙装置である。
【０００７】
本発明の第２の構成は、前記用紙離間部材が、前記下流側プーリを回動させる下流側軸の周りに回動し、かつ前記下流側ブーリより大径の円板型であることを特徴とする給紙装置である。
【０００８】
本発明の第３の構成は、前記用紙離間部材が、前記下流側プーリの下流側に配設されて１つの軸の周りに回動する円板型部材であることを特徴とする給紙装置である。
【０００９】
本発明の第４の構成は、前記用紙離間部材が、前記下流側プーリの下流側に配設されて用紙搬送路幅方向に長いコロ型であることを特徴とする給紙装置である。
【００１０】
本発明の第５の構成は、前記用紙離間部材が、前記下流側プーリの上流側でこの下流側プーリ寄りに配設されて１つの軸の周りに回動する円板型であることを特徴とする給紙装置である。
【発明の効果】
【００１１】
本発明第１の構成においては、排出給紙ローラの上流側に搬送ベルトで搬送されて来た用紙を、この搬送ベルトから離間させる用紙離間部材を設けたので、用紙の搬送速度が搬送ベルトと排出給紙ローラとの間で差があったとしても、この用紙離間部材により、用紙を搬送ベルトから無理なく離間させることができ、この用紙の印刷が汚れたり、用紙そのものに傷がつく、というような不具合を無くすことができる。
【００１２】
本発明第２の構成においては、用紙離間部材が、搬送ベルトを駆動させる下流側プーリと軸を共用し、かつこの下流側プーリより大径のコロ型となっているので、搬送されて来た用紙により、このコロが回転し、用紙を無理なく搬送ベルトから離間させることができて第１の構成と同様の効果がある上、全体の構造を単純化することができる、という効果がある。
【００１３】
本発明第３の構成においては、用紙離間部材を、下流側プーリの下流側に設けているので、搬送ベルトの構造、形状に関係なく、その形状、大きさ等を決定することができる、という効果もある。
【００１４】
本発明第４の構成においては、用紙離間部材を下流側プーリの下流側に設けて用紙幅方向に長いコロ型としているので、更に部品点数を減して単純化することができる、という効果もある。
【００１５】
本発明第５の構成は、用紙離間部材を上流側プーリ、下流側プーリ間に配設しているので、給紙装置全体を小型化することができる、という効果もある。
【発明を実施するための最良の形態】
【００１６】
本発明を実施する場合、まず、第１に搬送ベルトが複数本に分割されており、この搬送ベルトを駆動するための上流側プーリ及び下流側プーリも分割されていて、これら搬送ベルト、上流側プーリ、下流側プーリは、搬送される用紙の幅に合わせて、その全体の幅が変えられるようにするのが最良である。
【００１７】
第２に用紙離間部材は円板型とし、前記分割された下流側プーリの各間に設けるのが最良である。
【実施例１】
【００１８】
次に本発明の実施例について図面を参照して説明する。
図１（ａ）、（ｂ）は本発明の実施例１を示す断面側面図、及びその要部平面図である。
この実施例１は、積層された用紙Ｓのうちの最上層の１枚（Ｓ１）を複数本の搬送ベルト１０に吸着させて次工程方向へと搬送、給紙するための給紙装置であって、積層された用紙Ｓのうちの最上層の１枚を吸引いて搬送ベルト１０に吸着させる吸引チャンバ２０と、この吸引チャンバ２０を内側に挟み込むように配置されて複数本の搬送ベルト１０それぞれを駆動、制御する上流側プーリ３０及び下流側プーリ４０と、吸引チャンバ２０で吸引されて搬送ベルト１０に吸着し、この搬送ベルト１０で搬送されて来た用紙（Ｓ１）を挟持して更に下流方向、次工程方向へと排出、給紙する排出給紙ローラ５０と、複数の下流側プーリ４０と軸を共用して回動し、これら複数の下流側プーリ４０間に配設され、かつこれら下流側プーリ４０より大径に形成されて、搬送ベルト１０で搬送されて来た用紙（Ｓ１）をこの搬送ベルト１０との密着状態から離間させる円板型の用紙離間部材６０と、を有する構成、構造となっている。
【００１９】
この実施例１においては、搬送ベルト１０が複数本に分割されており、これに伴って、複数の下流側プーリ４０と軸（下流側軸４１）を共用して回動し、かつ、これら複数の下流側プーリ４０間に円板型の用紙離間部材６０が設けられているので、この用紙離間部材６０により、搬送ベルト１０で搬送されて来た用紙につられて円板が回転し、用紙を無理なく搬送ベルト１０から離間させることができ、用紙（Ｓ１）の印刷が汚れたり、用紙そのものを傷つける、というような不具合を無くすことができる。
また、用紙離間部材６０が、下流側プーリ４０と軸を共用する円板型となっているので、給紙装置全体を小型化、単純化することもできる。
【実施例２】
【００２０】
図２（ａ）、（ｂ）は、本発明の第２の実施例を示す断面側面図、及びその要部平面図、図２（ｃ）は、この第２の実施例における用紙離間部材の変形例である。
この第２の実施例においては、用紙離間部材６０ａ、６０ｂが下流側プーリ４０の下流側に配設された例を示す。
このように、用紙離間部材６０ａ、６０ｂを下流側プーリ４０とは別に配設することにより、搬送ベルトやその駆動用プーリの構造形状等に関係なく、自由な形状、構造、大きさ等とすることができる。
【００２１】
例えば、その一例として、図２（ｃ）に示すように、用紙離間部材６０ｂとして、１本に連結した形状とすることもできる。なお、このような配置とすると上流側プーリ３０や下流側プーリ４０も、それぞれを連結した構造とすることもできて、部品点数を減らすこともできる。
図２（ｂ）では、上流側プーリ３０を２分割（図１，図２（ａ）、（ｂ）では４分割）としている。
そのほかの作用効果は実施例１と同様である。
【実施例３】
【００２２】
図３（ａ）、（ｂ）は、本発明の第３の実施例を示す断面側面図、及びその要部平面図である。
この実施例３では、用紙離間部材６０ｃが、上流側プーリ３０と下流側プーリ４０との間の下流側プーリ４０寄りに配設されている。従って、給紙装置全体を小型化することができる、という効果がある。
なお、そのほかの作用効果は、実施例１と同様である。
【図面の簡単な説明】
【００２３】
【図１】本発明の実施例１を示す断面側面図及び要部平面図である。
【図２】本発明の実施例２及びその変形例を示す断面側面図及び要部平面図である。
【図３】本発明の実施例３を示す断面側面図及び要部平面図である。
【図４】背景技術の一例を動作順に示す断面側面図である。
【符号の説明】
【００２４】
１０、１０ｘ  搬送ベルト
２０、２０ｘ  吸引チャンバ
３０、３０ｘ  上流側プーリ
３１  上流側軸
４０、４０ｘ  下流側プーリ
４１  下流側軸
５０、５０ｘ  排出給紙ローラ
６０、６０ａ〜６０ｃ  用紙離間部材
７０  吐出エアチャンバ
８０  ２枚送り防止部材
９０  遮蔽板
【図１】
2007326683.tif 000003
【図２】
2007326683.tif 000004
【図３】
2007326683.tif 000005
【図４】
2007326683.tif 000006